(57)【特許請求の範囲】
【請求項１】
ａ）流体を給送する管（５４）を受ける受け路（１００）を有するハウジング（７０）と、
ｂ）前記受け路を覆う閉位置と該受け路を露出させる開位置との間で軸（２２６）を中心として旋回可能なドア（９０）と、
ｃ）前記管（５４）が貫通する細長い口（１４２）を画定する自由流れ防止スライドクランプ（６０）を担持するための、前記ハウジング（７０）上のキャリア手段（１３０）とを備えており、
前記キャリア手段（１３０）が、高い位置と下方位置との間で、前記軸（２２６）に平行な方向（１４８）に、前記ハウジング（７０）に対して移動することができ、前記ドア（９０）は、前記開位置及び閉位置間の該ドア（９０）の移動が前記ハウジング（７０）に対する前記キャリア手段（１３０）の移動をもたらすように、前記キャリア手段（１３０）に接続されている、ポンプ（５０）。
【請求項２】
前記キャリア手段が、前記クランプ（６０）を受ける第１のスロット（１６１）および第２のスロット（１６２）を画定するキャリア（１３０）を含み、
前記第２のスロット（１６２）が、前記第１のスロット（１６１）から延在し、該第１のスロットに対してほぼ垂直である、請求の範囲第１項に記載のポンプ（５０）。
【請求項３】
前記キャリア手段が、前記クランプ（６０）を保持するためのキャリア（１３０）を含み、この保持は、前記クランプの一部分が前記キャリア（１３０）の先に突出するようになされており、
前記キャリア（１３０）に隣接する前記受け路（１００）の一部分（１１８）が通路を含み、
前記ハウジングが溝（１１４）を画定しており、該溝は、ａ）前記通路にほぼ垂直に方向付けられており、ｂ）前記キャリア（１３０）から延びる前記クランプ（６０）の一部分を受けるため、前記キャリア（１３０）に隣接する前記通路を貫通して延びている、請求の範囲第１項に記載のポンプ（５０）。
【請求項４】
前記キャリア（１３０）が前記クランプ（６０）を保持するようになっており、該クランプ（６０）が、
ａ）前記管を圧縮して閉形状にする狭い部分（１４４）と、
ｂ）前記管を圧縮していない開形状で受ける広い部分（１４６）と
を有し、
前記キャリアが、前記クランプ（６０）を受ける第１のスロット（１６１）および第２のスロット（１６２）を画定しており、
前記第２のスロット（１６２）が、前記第１のスロット（１６１）から延在し、該第１のスロットに対してほぼ垂直である、請求の範囲第１項に記載のポンプ（５０）。
【請求項５】
前記ポンプが前記ハウジング（７０）内にポンプヘッド（１７４）を含んでおり、
前記ポンプは、通常の動作方向に配置されるように構成されていると共に、
ａ）前記ポンプヘッド（１７４）を含む中央部分と、
ｂ）前記ポンプヘッドより上の上側部分と、
ｃ）前記ポンプヘッドより下の下側部分と
を有しており、
前記受け路（１００）は、前記ポンプが前記通常動作方向に配置されたとき、ほぼ鉛直である面に実質上沿うように方向付けられている、請求の範囲第１項に記載のポンプ（５０）。
【請求項６】
前記キャリア（１３０）が、前記第２のスロット（１６２）を画定する表面を有しており、該表面は、前記クランプ（６０）と係合する移動止め（１６２Ａ、１６２Ｂ）を有している、請求の範囲第１項に記載のポンプ（５０）。
【請求項７】
前記ポンプが、前記受け路（１００）の直線部分に沿って存在する蠕動ポンプヘッド（１７４）を含んでいる、請求の範囲第１項に記載のポンプ（５０）。
【請求項８】
カム表面（２５４）を有しており、前記第１の軸に垂直な第２の軸を中心として旋回可能に前記ドア（９０）に取り付けられたハンドル（９４）と、
前記ドア（９０）が前記閉位置にある間、前記ハンドル（９４）が旋回されると、前記ハンドルのカム表面（２５４）と係合して旋回されるように、第３の旋回軸（２９０）を中心として旋回可能に前記ハウジング（７０）に取り付けられたカム従動要素（２８２）と、
第４の旋回軸（３１６）を中心として旋回可能に前記カム従動要素（２８２）に接続されると共に、第５の旋回軸（３２４）を中心として旋回可能に前記キャリア（１３０）に接続されたリンク（３１２）と、
前記カムハウジングと前記カム従動要素（２８２）との間で作用し、前記従動要素（２８２）が、前記キャリア（１３０）を前記受け路（１００）の前記一部分に向かって移動させる方向に前記第３の旋回軸（２９０）を中心として旋回するように付勢する、ばね（３００）とを備えている、請求の範囲第５項に記載のポンプ（５０）。
【発明の詳細な説明】
技術分野
本発明は液体供給システムに関し、特に、多種多様な標準的静脈内投与セットおよび流体容器を使用し、非経口流体および経腸流体、ならびに全血または赤血球成分を供給するよう設計された注入ポンプシステムの一部として使用するのに特に適している。
発明の背景および従来技術によって生じる技術的問題
従来の一タイプの注入ポンプシステムは、静脈内投与セットと組み合わせて非経口ポンプを使用する。セットは、熱可塑性チューブで構成され、これを通って流体が、軟質の袋または硬質の瓶など、懸架した容器から、患者に挿入した針またはカニューレなどの患者の留置静脈アクセス装置へと流れる。流体容器と患者との間にある投与セットの管の部分は、非経口ポンプに装着され、これは蠕動運動を介して流体を管に沿って患者へと給送するよう、管の隣接する区間を順次圧縮（スクイーズ）する。
このような給送システムはほぼ十分に機能するが、このようなシステムを使用する種々の市販製品には、いくつかの欠点がある。例えば、医療従事者が管をポンプから外す時には、流体が容器から患者へと自由に流れないよう、適切な装置、通常はスライドクランプで管が閉じてあるか、注意して確認しなければならない。したがって、管をポンプから外す前に、管を適切なクランプで自動的に閉じる改良されたシステムを提供することが望ましい。
さらに、このような改良型システムを、管に装着した比較的単純なクランプとともに使用できれば有益である。このような改良型システムは、標準的な静脈内投与セットの管の単純なまたは標準的なスライドクランプとともに機能することができ、このような管に、より複雑で複数の部片から成るクランプ機構を使用する必要がないことが好ましい。
通常、標準的な静脈内投与セットは使い捨てであり、医療従事者には無菌保護パッケージに入れて提供される。このような投与セットに、改良型ポンプシステムで自動的に操作することができ、低コストの製造を容易にする比較的小さいサイズおよび形状を用い、容易に滅菌でき、包装、保存および取扱いに都合がよい比較的単純な設計を有する管クランプを提供することが望ましい。
さらに、改良型注入ポンプシステムは、組立手順が比較的単純であるとよい。特に、投与セットの管を、ポンプの頂部から開始してポンプの底部で終了するという、論理にかなった、かつ好ましくは直感的に理解できる方法で注入ポンプに装填できる改良型注入ポンプシステムを提供することが望ましい。このような単純な管の装填プロセスは、これより直感的に理解できないプロセスより容易に学習することができ、誤って実行する可能性が低くなる。
本発明は、上述した利点および特徴を有する設計に対応することができ、使用するのに都合が良く、製造および操作に関して費用対効果が大きい改良型注入ポンプシステムを提供する。システムは操作が容易であり、多種多様な標準的投与セットおよび流体容器とともに使用することができる。システムは、病院全体の標準化、さらに代替現場の家庭内医療の標準化に対する需要の増大に対応するよう設計される。
発明の概要
本発明の改良型システムは、患者への流体の安全な供給に便宜を図る。システムは操作するのに都合がよく、設定が容易である。
好ましい実施形態では、システムは、クランプが最初に管上でフェールセーフの閉じた状態にない限り、自由流れ防止スライドクランプを有するポンプに投与セットの管を装填することができない。
さらに、好ましい実施形態では、ポンプはドア閉鎖システムを含み、これは（１）ドアの閉鎖時には自由流れ防止スライドクランプを自動的に開き、（２）ドアの開放時には自由流れ防止スライドクランプを自動的に閉じる機能を果たす。システムの医療オペレータは、ポンプのドアが開いたら、管が少なくとも１つのクランプで閉じていることを確認するという特別なステップをとる必要がない。これによって、管をポンプから外した時に、流体が患者へと自由に流れる可能性がなくなるか、少なくとも最小になる。
システムの好ましい実施形態は、種々の標準的な重力静脈内投与セットにも適応する。このようなセットは、論理的かつ直感的に上から下への順序でポンプに都合良く装填することができ、手作業が比較的少ない。
さらに、改良型システムは、自動給送動作、空気パージ、流閉塞の監視、ライン中の空気の検出、アラーム機能、自己テストおよび診断システム、自動二次流速計算の体積／時間プログラミング、看護婦のコールバック、バッテリのバックアップなどに関する他の種々の従来または特殊な特徴を有する注入ポンプに、容易に対応することができる。
本発明の１つの態様は、管を通して流体を供給するシステムを提供する。システムは、管をクランプするクランプを含む。ポンプは、流体を給送する管を受ける受け路を有するハウジングを含む。ポンプは、ハウジング上にクランプを担持するため、ハウジングに装着されたキャリアも含む。キャリアは、ハウジングに対して移動することができるが、システムの通常の動作中は外せないものとする。
本発明の別の態様は、ポンプの改良に関する。ポンプは、（１）受け路の入口端から受け路の出口端まで延在する管を受ける受け路、および（２）入口端と出口端との間で受け路に沿った蠕動ポンプヘッドを含む。ポンプ内に、入口端とポンプヘッドとの間で受け路に隣接してキャリアを設ける。キャリアは、管を圧縮する閉状態で、閉構成にする自由流れ防止クランプを受けるようになっている。クランプの一部は、キャリアによって受け路を横断するよう配置される。
本発明の好ましい実施形態では、クランプは、管が自由に開構成に戻る開状態を有する。管は、クランプが配置され、入口端から出口端までポンプの受け路に装填することができる。
本発明の別の態様によると、蠕動ポンプはハウジングを含み、ハウジングは（１）受け路の入口端から受け路の出口端まで延在する管を受ける受け路、および（２）（ａ）受け路の一部にほぼ垂直な方向に配向し、（ｂ）受け路と連絡する溝とを画定する。ポンプ内にはキャリアが装着され、それに自由流れ防止クランプを挿入することができる。好ましい実施形態では、クランプは閉状態で挿入されて、管を圧縮し、閉構成にする。キャリアは、ハウジングの受け路および溝に隣接して配置される。キャリアは、クランプの一部分を受ける第１および第２のスロットを画定する。第２のスロットは第１のスロットから延在し、第２のスロットはほぼ第１のスロットに対して垂直であり、ハウジングの溝と整列する。
本発明のさらに別の態様によると、ポンプは、流体を給送する管を受ける受け路を有するハウジングを含む。ポンプは、軸を中心として旋回するドアを有する。好ましい実施形態では、ドアは、受け路を覆う閉位置と受け路を露出させる開位置との間で旋回することができる。管上にクランプを担持するため、ハウジング上にキャリア手段を設ける。キャリア手段は、ドアの軸と平行の方向に、ハウジングに対して移動することができる。
本発明のさらなる態様によると、ポンプは、ハウジング、管を受けるためにハウジングに沿って画定された受け路、および受け路を覆う閉位置と受け路を露出させる開位置との間で軸を中心として旋回するドアを含む。ポンプは、自由流れ防止スライドクランプを保持するため、ハウジング上にキャリアを含む。キャリアは、クランプの口がドアの軸に平行な面にある方向で、クランプを保持するようになっている。好ましい実施形態では、クランプは、（１）管を圧縮して閉構成にする狭い部分と、（２）圧縮していない開構成で管を受ける広い部分とを有する細長い口を画定する。
本発明のさらに別の態様は、ハウジングを有するポンプを含む。受け路は、管を受けるためにハウジングに沿って画定される。自由流れ防止スライドクランプを保持するため、ハウジングにキャリアを設ける。キャリアはハウジングに対して移動することができる。好ましい実施形態では、受け路はハウジングに沿った面で実質上画定され、キャリアは、受け路によって画定された面に平行な方向に移動することができる。
本発明の別の態様によると、ポンプには、直線で配置されている少なくとも一部を含み、流体が給送される管を受けるようになっている受け路を有するハウジングを設ける。ポンプは、さらに、管上でクランプを担持するため、ハウジング上のキャリア手段を含む。キャリア手段は、受け路の直線部分に平行な方向で前記ハウジングに対して移動することができる。
本発明の他の多くの利点および特徴は、本発明の以下の詳細な説明、請求の範囲、および添付の図面から容易に明白になる。
【図面の簡単な説明】
明細書の一部を形成する添付図面では、図面を通じて同様の数字を使用して同様の部品を指定する。
第１図は、主な静脈内投与セットの斜視図である。
第２図は、（１）本発明の特徴を組み込み、（２）第１図に示し、第２図では注入ポンプに装填された状態で示した、投与セットに接続された軟質袋容器を支持する注入スタンドに装着された注入ポンプの部分斜視図である。
第３図は、第２図に示した注入ポンプの前部の拡大部分斜視図であり、第３図は、ドアを全開位置にし、投与セットの管をポンプから外した状態で示す。
第４図は、図３に示したポンプの部分前面図であり、第４図は、ポンプの投与セット管受け路部分を示す。
第５図は、ポンプの管受け路の上側部分の大きく拡大した部分斜視図であり、スライドクランプを配置した管の部分をポンプに挿入する方法を示す。
第６図は、ポンプ管受け領域の下側部分の大きく拡大した部分斜視図であり、流れ防止クランプの操作を示す。
第７図は、第３図と同様の部分斜視図であるが、第７図はポンプに装填された投与セットの管を示す。
第７Ａ図は、ほぼ第７図の面７Ａ−７Ａに沿って切り取り大きく拡大した部分断面図であり、第７Ａ図は、管を圧縮して閉じるよう、管上で閉状態でポンプに挿入したスライドクランプを示す。
第７Ｂ図は、第７Ａ図と同様の図であるが、第７Ｂ図は、スライドクランプが管に対して開状態にある、スライドクランプの移動した位置を示す。
第８Ａ図は、ポンプハウジングの一部を切り取り、ドアは閉じ、ドアハンドルは開位置であるがラッチ閉位置へと動き始めている状態でポンプのドアラッチ区域を示す、ポンプの拡大部分側面図である。
第８Ｂ図は、第８Ａ図と同様の図であるが、第８Ｂ図はラッチが十分に閉じた位置でドアハンドルを示す。
第９図は第４図と同様の部分前面図であるが、第９図は閉じて部分的に切り取ったドアを示す。
第１０図は、ポンプの一部の部分断面図であり、第１０図はハウジングの上側部分の下で、第９図の面１０−１０に沿って切り取ってある。
第１０Ａ図は、ほぼ第９図の面１０Ａ−１０Ａに沿って切り取った部分前面図である。
第１０Ｂ図は、ほぼ第１０図の面１０Ｂ−１０Ｂに沿って切り取った部分断面図であり、ドアの閉鎖時に下位置に移動したキャリアを示す。
第１０Ｃ図は、第１０Ｂ図と同様の図であるが、第１０Ｃ図は、ドアの開放時に上位置に移動したキャリアを示す。
第１１図は、ほぼ第９図の面１１−１１に沿って切り取った拡大部分側面部分断面図である。
第１２図は、ほぼ第９図の面１２−１２に沿って切り取った拡大部分断面図である。
第１３図は、投与管セットのスライドクランプのキャリアの前斜視図であり、キャリアは、ポンプ内にあって、ポンプの上前右手隅から見ると見えるような方向で、ポンプから外した状態で図示される。
第１４図は、前下左手隅から見たキャリアの斜視図である。
第１５図は、キャリア後部の斜視図である。
第１６図は、キャリアの前面図である。
第１７図は、ほぼ第１６図の面１７−１７に沿って切り取った断面図である。
第１８図は、ほぼ第１６図の面１８−１８に沿って切り取った断面図である。
第１９図は、クランクの斜視図であり、クランクは、ポンプ内にあって、ポンプの後上右手隅から見ると見えるような方向で、ポンプから外した状態で図示される。
第２０図は、第１９図に示したクランクの反対側の斜視図である。
第２１図は、接続アームの斜視図であり、アームは、ポンプ内にあって、ポンプの前上右手隅から見ると見えるような方向で、ポンプから外した状態で図示される。
第２２図は、左下から見た接続アームの斜視図である。
第２３図は、スライドクランプのセンサーフラグの斜視図であり、フラグは、ポンプ内にあって、ポンプの前上右手前隅から見ると見えるような方向で、ポンプから外した状態で図示される。
第２４図は、第２３図に示したのと反対側から見たフラグの斜視図である。
第２５図は、キャリア、フラグ、接続アームおよびクランクのアセンブリの側面図であり、アセンブリはほぼ第９図の面２５−２５に沿って見られ、ポンプの他の構成要素は見やすいように削除してある。
第２５Ａ図は、ほぼ第２５図の面２５Ａ−２５Ａに沿って切り取った断面図である。
第２６図は、ポンプ内にあって、ポンプの前上左手隅から見ると見えるような方向で、ポンプから外したスカートの斜視図である。
第２７図は、後部から見たスカートの斜視図である。
第２８図は、投与セットの管を受け、種々のポンプ構成要素（図示せず）を装着したシャーシの斜視図であり、シャーシは、ポンプ内にあって、ポンプの前下右手隅から見ると見えるような方向で、ポンプから外した状態で図示される。
第２８Ａ図は、スカートを組み付けたシャーシの前上右手隅の部分斜視図である。
第２９図は、シャーシの後斜視図である。
第３０図は、シャーシの上面図である。
第３１図は、ドアハンドルの斜視図である。
第３２図は、ドアハンドルの別の斜視図である。
好ましい実施形態の説明
本発明は多くの異なる形態の実施形態が可能であるが、本明細書および添付の図面は、本発明の一例として１つの特定の形態のみを開示する。しかし、本発明はそのように記載された実施形態に限定されるものではない。本発明の範囲は、添付の請求の範囲で指摘される。
記述を容易にするため、本発明の特徴を組み込んだポンプは、１つの通常（直立）の方向で記載され、上、下、水平などの用語は、この方向に関して使用される。しかし、本発明のポンプは、記載された方向とは異なる方向で保存、輸送、および販売できることが理解される。
ポンプを示す図は、当業者に知られ、認識されるいくつかの機械的要素を示す。本発明を理解するには、このような要素の詳細な記述は不必要であり、したがって本明細書では、本発明の新規の特徴を容易に理解するのに必要な程度でのみ提示する。
本発明の特徴を組み込むポンプは、特定の従来の構成要素と一緒に使用され、詳細については十分に図示または記述されていないが、当業者およびこのような構成要素の必要な機能を理解する人には明白である。
本発明の改良型システムは、種々の標準的静脈内投与セットを用いた患者への流体の供給に便宜を図り、このようなセットの１つが第１図に図示され、本明細書では概して参照番号４０
で指定される。投与セット４０は、通常、非経口流体、経腸流体、全血、赤血球成分などを、瓶または第２図に示す静脈内投与スタンド４４上で支持された軟質袋４２などの流体容器から供給するのに使用される。投与セット４０の一部が蠕動ポンプ５０と係合し、ポンプ５０より下流の投与セット４０の遠位部分は、患者に挿入される針またはカニューレ（図示せず）などの患者の留置静脈アクセス装置に接続することができる。
容器４２は、任意の適切な従来の、または特殊な設計でよい。容器４２の詳細な設計および特定の構造は、本発明の一部を形成しない。
投与セット４０は、任意の適切な従来の、または特殊な設計でよい。第１図に示すセット４０は、Ａｂｂｏｔｔ  Ｌａｂｏｒａｔｏｒｉｅｓ（１００  Ａｂｂｏｔｔ  Ｐａｒｋ  Ｒｏａｄ，Ａｂｂｏｔｔ  Ｐａｒｋ，Ｉｌｌｉｎｏｉｓ  ６００６４−３５００，Ｕ．Ｓ．Ａ．）がＮｏ．１８８１という名称で米国で販売している１次ベント式静脈内セットである。投与セット４０は、点滴室５２の上端で従来の細菌保留エアフィルタ４８から突出する中空の穿孔ピン４６によって画定された近位端を有する。長い中空の軟質管５４は、点滴室５２の底部から、Ａｂｂｏｔｔ  ＬａｂｏｒａｔｏｒｉｅｓがＣＡＩＲの名称で販売しているタイプのローラクランプ５６中に延在する。
ローラクランプ５６の下流で、管５４には、Ａｂｂｏｔｔ  ＬａｂｏｒａｔｏｒｉｅｓがＤＵＯ  ＳＬＩＤＥの名称で販売しているタイプのスライドクランプ６０が配置される。ＤＵＯ  ＳＬＩＤＥクランプ６０については、以下でさらに詳細に述べる。
従来のＹ注射部位６２を、スライドクランプ６０の下流で管５４に設ける。管５４の遠位端には従来のオスアダプタ６４を設ける。アダプタ６４は、静脈穿刺装置に取り付けるよう設計される。
投与セットの構成要素は、任意の適切な特殊または従来の設計でよく、その詳細は本発明の一部を形成しないが、例外として、本発明の好ましい実施形態のいくつかの特徴は、従来の軟質管５４、および上述したＤＵＯ  ＳＬＩＤＥクランプ６０で実現するような構造を有するスライドクランプ６０に対応し、それらと協力するよう設計される。ＤＵＯ  ＳＬＩＤＥクランプ６０の構造については、以下でさらに詳細に説明する。
第２図で示すように、ポンプ５０はハウジング７０、およびポンプ５０をスタンド４４に取り付けることができる、後ろ側に突出した取付クランプ７２を含む。クランプ７２は、手動操作可能なノブ７３を含む。便利な運搬ハンドル７４が、ハウジング７０の頂部から上方向に突出する。電力は、電源コード７１を介してポンプの後側を通って供給される。
ポンプ５０は、液晶ディスプレー画面装置７８およびキーパッド８０を含む前面パネル７６を有する。前面パネル７６の次には、ドアハンドル９４を取り付けた前部ドア９０がある。第３図に示すように、ドア９０は、最初にハンドル９４を（第２図に示すような）ほぼ垂直な方向から（第３図に示すような）ほぼ水平の方向へと旋回させて、ドア９０をハウジング７０から外し、次にドア９０を外側にスイングさせることにより、約９０°開くことができる。
第３図では、ポンプ構造の詳細をよりよく示すよう、管５４を外した状態で開いたポンプ５０を示す。さらに、第３図で分かるように、ハウジング７０は内部の詳細が分かるように点線によって部分的に想像図で示した外部カバーまたは外殻９６を含む。同様に、第３図では、ドア９０は、内部の詳細をよりよく示すように点線によって部分的に想像図で示した外部カバー
または外殻９８を有する。
第３図および第４図で示すように、ポンプハウジング７０の開いた面は、第７図でポンプハウジング７０に装填された状態を示す投与セット管５４を受けるため、受け路１００を画定する。受け路１００は、開いたポンプハウジング７０のほぼ平面の前部内面に沿って画定される。特に、ポンプ５０は、ブロックまたはシャーシ１０４（第３図〜第７図）を含み、これは他のポンプ構成要素が装着されるハウジング７０の一部を実質上画定することを特徴とする。シャーシ１０４は、シャーシに装着されるか、以下で詳細に述べるようにシャーシ１０４と協力するような他の構成要素を受ける種々の空隙および口を含む。
第３図および第４図で示すように、シャーシ１０４の右上隅にある受け路１００は、ほぼ水平に配向し、外殻９６を通ってポンプ５０の右手側へと外側に開く。したがって、外殻９６は受け路１００の入口部分を画定し、外殻９６は、ほぼポンプハウジング７０を形成する部品であることも特徴とする。
シャーシ１０４は、第２８図、第２９図および第３０図で別個に図示されている。シャーシ１０４の右上隅は、垂直方向のスロット１０６を画定する。スロット１０６の上端で、シャーシ１０４はスロットの各側に、挿入ブロックまたはスカート１１０を装着した上方向+に突出するポスト１０８を画定する。スカート１１０は、第２６図および第２７図で別個に図示されている。スカート１１０は、１対の受け口１１２を画定する。各口１１２は、第２８Ａ図で示すように、シャーシポスト１０８の一方を受ける。スカート１１０は、さらに、ねじ受け穴１１３（第２６図および第２７図）を通るねじ（図示せず）でシャーシ１０４に固定することができる。
スカート１１０の前部は、第３図、第４図、第５図、第９図および第２８Ａ図で分かるように、管受け路１００の水平部分と連絡する垂直溝１１４を画定する。第５図、第２６図および第２８Ａ図で示すように、スカート１１０の上前部分は、垂直溝１１４の各側で内側に延在する切欠き１１８を画定し、切欠き１１８はポンプの面で受け路１００の一部を画定する。
切欠き１１８の底部は、スカート１１０の前部で１対の間隔をあけた支持棚１２０によって画定され、棚はその間に垂直溝１１４（第５図）の連続体を画定する。棚１２０の上面は、垂直溝１１４の各側で管受け路１００の底部分を形成する。垂直溝１１４は、第３図、第４図、第５図および第９図で示すように、上方向に延びてスカート１１０の上でハウジング７０に入る。
第２８Ａ図で分かるように、スカートの棚１２０の下にあるシャーシスロット１０６は、比較的広い。スロット１０６は、管のクランプを保持するキャリア手段を受けるようになっている。好ましい実施形態では、キャリア手段はスライドクランプキャリア１３０を含み、これはスライドクランプ６０を保持して、（１）第７図、第７Ａ図および第１０Ｃ図で示すような高いまたは上方の位置と、（２）第７Ｂ図、第１０Ｂ図および第１１図に示すような下方位置との間で動くようになっている。第１０Ｂ図、第１０Ｃ図および第１１図では、キャリアおよびハウジング７０の他の構成要素の詳細をよりよく示すために、スライドクランプ６０および管５４が削除されている。キャリア１３０が上方の高い位置（第３図、第４図、第５図、第７図、第７Ａ図および第１０Ｃ図で図示）と下方位置（第７Ｂ図、第１０Ｂ図、第１１図および第１２図で図示）との間で効果的に移動する機構を、以下で詳細に説明する。
キャリア１３０は、第５図および第７図で示すようにほぼ垂直な方向でスライドクランプ６０を受け、保持するようになっ
ている。スライドクランプ６０は、横方向に延在する足部１３４（第５図）によって画定された下端を有する。足部１３４からは、細長い４辺の枠１３８が上方向に突出し、これはこれよりわずかに薄くほぼ平面のウェブ１４０を囲む。ウェブ１４０は、下方の狭い部分１４４および上方の広い部分１４６を有する細長い口１４２を画定する。
管５４およびスライドクランプ６０をポンプ５０に挿入する前に、最初にクランプ６０を、管５４が圧縮されて閉構成になり、それを通る流れを閉塞するよう、クランプの口１４２の狭い部分１４４に位置する方向で、管５４上に配置する（第５図）。スライドクランプ６０は、クランプ６０をキャリア１３０に挿入した後、管５４に対してその後の下方向（第５図の矢印１４８の方向）の移動に対応するようになっている。下方向への動作は、クランプ口１４２の広い部分１４６を管５４の周囲に配置するよう（第７Ｂ図）、クランプ６０に隣接する管５４の部分の縦軸に対して、ほぼ垂直である。キャリア１３０が高い位置（第５図および第７Ａ図で図示）から下方位置（第７Ｂ図）へと下方向（第７Ｂ図で示すような矢印１４８の方向）に移動すると、スライドクランプ６０が、キャリア１３０上の棚１２０の管受け路で保持された管５４に対して下方向に運ばれる。キャリア１３０内でクランプ６０を下方向に移動させる機構については、以下で詳細に説明する。
キャリア１３０は、クランプ６０をキャリア１３０に都合良く挿入できるようにしてある形状を有する。キャリア１３０は、第３図および第７図で示すように、ハウジングシャーシ１０４の前面の先に突出する前部分１５２（第１３図〜第１８図）を含む。前部分１５２は、シャーシのスロット１０６（第１０Ｂ図）より広い。
キャリア１３０は、幅が狭くなった中間部分１５６を含む（第１３図〜第１５図、第１７図および第１８図）。幅が狭い中間部分１５６は、シャーシのスロット１０６を通して延在する。
キャリア１３０は、これより広い後部分１６０を含む。広い後部分１６０は、シャーシスロット１０６に沿ってシャーシ１０４の垂直後面に沿って配置される。キャリア１３０は、最初に、第２８Ａ図に示すように、スカート１１０をシャーシスロット１０６の頂部に装着する前に、ポンプ構成要素の組立中に、シャーシスロット１０６に装着される。キャリア１３０は、シャーシスロット１０６内で垂直に往復運動するようになっている。キャリア後部分１６０の下前縁は、架橋リブ１５３（第１１図、第１３図、第１４図、第１７図および第１８図）および架橋リブ１５３の背後のスロット１５５（第１５図および第１７図）を含む。
キャリア１３０は第１のスロット１６１（第１３図および第１６図）を画定し、これは第１７図で分かるように、前部分１５２を通り、幅の狭い中間部分１５６を通って、後部分１６０の一部を通り延びている。第１のスロット１６１は、外側に突出する足部１３４（第５図）を含むスライドクランプ６０の下端を受けるようになっている形状を有する。キャリアスロット１６１の底部は、キャリアの後部分１６０で、第１７図に示すように後部分のスロット１５５の頂部と連絡する。
キャリア１３０は、第１のスロット１６１から延在して、これに対してほぼ垂直の第２のスロット１６２を有する。第２のスロット１６２は、スライドクランプ６０が、その中に配置された管５４と共に（矢印１６６（第５図）の方向で）キャリア１３０に挿入されると、足部１３４の上に突出するスライドクランプ６０の垂直上方向に延びる部分を受けるようになっている。キャリア１３０は、第２のスロット１６２を画定する表面に沿って移動止め（ｄｅｔｅｎｔ）１６２Ａおよび１６２Ｂ（第１３図および第１６図）を含む。これらの移動止め１６２Ａおよび１６２Ｂは、スライドクランプ６０が第７図に示すようにキャリア１３０に挿入された場合、スライドクランプ６０の枠１３８の底部分を把持するのに使用される。キャリアの垂直スロット１６２は、第５図に示すように、シャーシのスカート１１０によって、およびハウジング７０の上側部分によって画定された垂直溝１１４と位置合わせされ、整列する。
スライドクランプ６０をキャリア１３０に十分挿入すると、垂直溝１１４の各側で受け路１００を画定する通路内で管５４を受ける。シャーシ１０４は、１対の対向するタブ１７０（第５図）を含み、これは管１７０に隣接する管を局所的に少々変形させることによって管５４（第７図）を把持するよう、受け路１００の通路内にわずかに突出する。タブ１７０は、別個に成形し、シャーシ１０４内の適切な受け空隙に装着された挿入部片であることが好ましい。第４図に示すように、受け路１００に沿っていくつかのこのような対面するタブ１７０の対を設ける。
蠕動ポンプヘッド１７４を、第３図、第４図および第７図で示すように、管受け路１００の垂直部分に沿って配置する。蠕動ポンプヘッド１７４は、任意の適切な従来の、または特殊な形状を有することができる。蠕動ポンプヘッド１７４は、通常、キー１７４Ａ〜１７４Ｈなどの複数のキーを備え、これはポンプハウジング７０内でキーの背後に垂直に配置されたクランクシャフト１７６（第１０図）のカム区間によって、順次係合し、外側に移動して管に当たる。クランクシャフト１７６は、ステッピングモータ（第１０図）のシャフト１８０から駆動されるタイミングベルトによって回転する。プラテン１８６がドア９０に装着され、ドア９０を閉じると、ポンプヘッド１７４に隣接する管５４に対面する。
各ポンプヘッドのキー１７４Ａ〜１７４Ｈは、外側に移動して管５４に当たるにつれ、管５４を閉じたドア９０上のプラテン１８６（第３図）に押し当てる。プラテン１８６は、ドアとプラテン１８６との間で作用するばね（見えない）によって、ポンプヘッド１７４に向かうようバイアスがかかる。１つのキー１７４Ａ〜１７４Ｈが外側に移動して管５４をプラテン１８６に対して圧縮し、閉じるにつれ、次の隣接する下流側のキーが外側に移動し、蠕動運動で、管に含まれた流体をさらに管５４の下流に押しやる。上述した蠕動ポンプシステムの要素１７４Ａ〜１７４Ｈ、１７６、１７８、１８０、１８２および１８６などの蠕動給送システムは、任意の適切な従来の、または特殊な設計でよい。このような蠕動給送システム構成要素、さらに他の支持構成要素、制御システムなどの詳細な設計および操作は、本発明の一部を形成しない。
管５４は、管受け路１００を画定する通路内で、ポンプヘッド１７４の下に延在する。管５４は、ポンプの底部付近の流出防止クランプ１９０中に延在する。流出防止クランプ１９０は、係合リブ１９２および横方向に延在するフィンガプレスパッド１９４を含む（第６図）。係合リブ１９２に隣接して、管受け路１００の一方側に、シャーシ１０４の前面から外側に突出するアンビル１９６がある。管５４は、通常、第７図で示すようにアンビル１９６と係合リブ１９２との間に装填される。
流出防止クランプ１９０の一部が、シャーシ１０４の背後に延在し、ばねでバイアスがかかった中心上のトグルばねラッチ機構（図では見えない）を含む。通常、ポンプドア９０が開くと、流出防止クランプのリブ１９２に閉位置へとバイアスがかかる（第３図および第７図の実線で図示し、第６図の点線によって想像図で示す）。
管５４をアンビル１９６と管係合リブ１９２との間の管受け路１００に装填するため、指で押すパッド１９４をシャーシ１０４に向かって後方に（第６図に示すような矢印１９８の方向に）押す。指押しパッド１９４を、シャーシ１０４の面に隣接して、それとほぼ平行になる点まで後方に押すと、シャーシ１０４の背後にある中心上のトグルばねラッチ機構が、指を指押しパッド１９４から離した後でも、流出防止クランプ１９０を開位置に保持する。これは、係合リブ１９２とアンビル１９６との間のクリアランスを確立し、リブ１９２とアンビル１９６との間に管５４が配置できるようにする。
流出防止クランプが第６図の実線で図示した十分に開いた位置にある場合、ラッチ機構の一部（シャーシ１０４の背後で見えない）は、シャーシ１０４の面にある穴２０２からピン２００が延在するよう、前方に押しやられる。ドア９０が続いて閉じると、ドア９０の一部がピン２００の遠位端と係合し、それを穴２０２の内側に押し込む。ピン２００が内側に動くと、（シャーシ１０４の背後で流出防止クランプ１９０に取り付けられているので）流出防止クランプ１９０が、トグルばね機構の中心上の点よりわずかに先まで閉位置に向かって外側に旋回するが、閉じたドア９０は窪んだ係合表面２０４を有し、これによって指押しパッド１９４およびリブ１９２は、管を圧縮して閉じるような十分に閉じた位置まで動けなくなる。これによって、ドアが閉じている場合、流体はクランプ１９０を通って流れることができる。しかし、ドア９０が続いて開くと、指押しパッド１９４とリブ１９２が、管を締めて閉じるようなトグルばね機構の影響で、十分に閉じた位置へと自由に完全に動く。
上述した流出防止クランプ１９０は、任意の適切な特殊、または従来の設計でよい。流出防止クランプ１９０を組み込むことと、その詳細な設計および操作は、本発明の一部を形成しない。
所望に応じて、ポンプ５０は、第３図、第４図および第７図で図示するように、流出防止クランプ１９０の下に、空気センサーアセンブリ２１０などの空気センサーアセンブリを含むことができる。空気センサーアセンブリ２１０は、管５４内の気泡の存在を感知するため、任意の適切な特殊または従来の設計でよい。通常、センサーアセンブリ２１０は、管受け路１００の一部を画定するスロットの周囲の圧電センサーを含む。空気センサーアセンブリ２１０を組み込むことと、その詳細な設計および操作は、本発明の一部を形成しない。
ポンプ５０は、適宜、または所望に応じて他のセンサー、スイッチ、アラームなどを含んでもよいが、このような他の要素は本発明の一部を形成しない。
第３図に図示するように、ドア９０の内面は複数の突起１７２を含むことができ、これは、ドア９０が閉じている場合は、管受け路１００を画定する通路と整列し、受け路１００を画定する通路に管５４を押し込む機能を果たす。
管５４は、上述したポンプ５０内の管受け路１００に容易に装填することができる。通常、投与セットの管をポンプ５０に装填する前に、容器４２（第２図）を管５４に接続する。管５４を容器４２に接続する前に、ローラクランプ５６（第１図）を最初に閉じて、管５４を通る流れを閉塞する。次に、容器４２（第２図）の出口を露出させる。次に、投与セットの穿刺ピン４６（第１図）を、ねじりの動作で容器４２の出口に挿入する。次に、容器４２をスタンド４４から吊り下げ、点滴室５２（第１図）をスコアマークまで充填する。
管５４をポンプ５０に装填する前に、投与セット４０の準備をする。ポンプ５０を容器４２の下に配置した状態で、管を閉塞しないよう、管に配置されたスライドクランプ６０を開状態にしながら、ローラクランプ５６を開き、投与セットの管５４から空気を追い出す。次にローラクランプ５６を閉じる。これで、投与セット管５４の遠位端にあるオスアダプター６４を静脈穿刺装置に取り付けることができる。静脈穿刺装置が留置していない場合、静脈穿刺する前に装置の準備をしなければならない。
システムから気泡をパージするため、注意しなければならない。空気は、流体が流れている間に、Ｙ字部位６２のバックチェック弁を逆さまにし、激しく叩くことによって、そこから取り除かれる。
管５４をポンプ５０に装填する前に、オペレータは、ローラクランプ５６が容器４２とスライドクランプ６０との間にあることを検証しなければならない。オペレータは、ローラクランプ５６が閉じていることも検証し、点滴室５２に流れがないことを確認しなければならない。次に、管５４がクランプ口の狭い部分１４４で圧縮されて閉じるよう、クランプ６０を押してスライドクランプ６０を閉じる。
次に、ドアハンドル９４を持ち上げて、ポンプドア９０を開く。次に、指押しパッド１９４を（第６図に示すような矢印１９８の方向に）押して、流出防止クランプ１９０を開く。上記で述べたように中心上トグルばね機構とクランプ１９０との動作により、オペレータの指が離れた後、クランプ１９０は開いたままになる。
次に、投与セット管５４をポンプ５０の開いた面に沿って配置する。スライドクランプ６０は、第５図に図示するように、キャリアスロット１６１および１６２と整列する。スライドクランプ６０は、その中に配置された閉じた管５４とともに、内側に（第５図に示すような矢印１６６の方向に）移動し、したがってスライドクランプ６０をキャリアスロット１６１および１６２の中、およびハウジングの垂直溝１１４の中に配置する。その結果、スライドクランプ６０に隣接する管５４の一部分が、キャリア１３０の上で管受け路１００内に画定された通路内に受けられる。
次に、オペレータは、受け路１００の残りの部分に隣接する管５４の残りの部分を整列させ、オペレータはポンプの頂部から底部まで、管５４を受け路１００の通路内に装填する。管を伸ばさないよう注意しなければならない。指の爪などの鋭利な物体と管が接触するのを回避しながら、指先で叩いて、受け路１００を画定する通路に管５４を押し込む。
次に、装填した管５４上でドア９０を閉じ、ハンドル９４を第１図および第１１図に図示する十分に閉じた位置まで下方向に押して、ラッチをかける。次に、ポンプ５０を始動する前に、ポンプ５０の上にあるローラクランプ５６を開き、点滴室５２へ流れ込んでいないことを確認しなければならない。
第７図（ポンプ５０に装填された投与セット管５４を示す）を参照すると、図示されたポンプの好ましい形態では、管受け路がほぼハウジング７０（ハウジング７０は、管受け路の通路を画定する頂部スカート１１０およびシャーシ１０４を含む）に沿った面に画定されていることが分かる。装填された管５４がある面は、ポンプが通常の動作配向にある場合は、ほぼ垂直である。クランプキャリア１３０は、管受け路によって画定された面に平行な方向で、高い位置（第７図、第７Ａ図および第１０Ｃ図）と下方位置（第７Ｂ図、第９図および第１０Ｂ図）との間で移動することができる。
さらに、ポンプ５０は第３図、第４図および第７図で示すような通常の操作方向に配置されるようになっており、ポンプは、（１）ポンプヘッド１７４を含む中央部分、（２）ポンプヘッドの上に延在して、キャリア１３０を含む上側部分、および（３）ポンプヘッド１７４の下に延在して、（ある場合は）流出防止クランプ１９０および（ある場合は）空気センサー２１０を含むことができる下側部分を有することが分かる。図示された好ましい実施形態では、管受け路は、ポンプが通常の操作方向にある場合にほぼ垂直である面にほぼ配向する。さらに、ポンプヘッド１７４に沿った受け路（および管）の部分は、ほぼ直線上にある。
ドア９０は、開位置と閉位置との間で旋回するため、ほぼ垂直の軸に装着することが好ましい。図示の好ましい実施形態では、ドア９０の旋回軸は、ポンプヘッド１７４の面に沿って画定された管受け路の一部分に平行であり、高い位置（第７図、第７Ａ図および第１０Ｃ図）と下方位置（第７Ｂ図、第９図および第１０Ｂ図）間のキャリアの動作配向にも平行である。
特に、ドアの旋回軸は、第２８図に示すように、１対のドアピン受け突起２２０によってシャーシ１０４内に画定される。第７図で図示するように、ドア９０は、それぞれがシャーシの突起２２０の一つを受けるため、２つのスロット２２４を画定する。シャーシの突起２２０はそれぞれ、ピン受け穴２２６を画定し、穴２２６は、第７図で見える上穴２２８などのドア９０の穴と整列する。ドア９０の旋回運動に対応する接続を提供するため、第７図に見える上ピン２３０などのピンが、ドア９０およびシャーシ突起２２０内に配置される。
また、スライドクランプ６０を第７図に示すように、ポンプキャリア１３０内に適切に挿入すると、クランプの口１４２がドアの旋回軸と平行な面内にあることも分かる。
ドア９０の内側は、ドア９０が閉じた時に、それぞれスライドクランプ６０およびキャリア１３０の外側に突出する部分を受けるため、上溝２４０（第３図および第７図）および空隙または窪み２４２（第３図および第７図）を含むことも分かる。
ドアハンドル９４は、開位置（第７図）と閉位置（第２図）との間で回転するため、ハンドル９４をドア９０に旋回可能な状態で装着するピン２４６（第７図および第１２図）を受けるための、第３１図に示すような穴２４４を含む。ハンドル９４は、アーチ形のラッチスロット２５０（第３１図）および外部カム表面２５４（第３１図および第３２図）を含む。
第７図、第８Ａ図、第１２図および第２８図で示すように、ハウジングシャーシ１０４は、ドアハンドル９４の湾曲したカム表面２５４を受けるため、窪んだラッチ領域２６０を画定する。ラッチ領域２６０に隣接して、シャーシ１０４の縁からボス２６２（第７図）が外側に突出する。図示の好ましい実施形態では、ボス２６２は、シャーシ１０４の受け空隙２６４（第２８図）に装着された別個の金属インサートである。
第７図で示すように、ラッチローラ２６８が、ボス２６２に装着されたピン２７０上に配置される。ドア９０を閉じると、ラッチピン２７０とローラ２６８は、第８Ａ図に示すように、ハンドル９４のアーチ形スロット２５０内で受けられる。ハンドル９４が、第８Ａ図の矢印２７４の方向にハンドル旋回ピン２４６を中心として回転するにつれ、ハンドルラッチスロット２５０は、ハンドル９４が第８Ｂ図、第１１図および第１２図で示すような完全に閉じた方向になるまで、ローラ２６８に沿って摺動する。（１）ラッチスロット２５０の湾曲、および（２）ドアハンドルの旋回ピン２４６とラッチピンローラ２６８との相対的位置のおかげで、システムの弾性（特に、ドア９０のばねでバイアスがかかったプラテン１８６によって与えられる）が、ドアハンドル９４を十分に閉じた位置に保持してドア９０をラッチで閉じた状態に維持する、中心上トグルラッチ動作を生じる。
キャリア１３０（第７図）は、前記では、高い位置（第７図、第７Ａ図および第１０Ｂ図）と下方位置（第７Ｂ図、第９図および第１０Ｃ図）との間で移動できると述べた。ドアハンドル９４が、閉じてラッチがかかった位置（第２図、第９図、第８Ｂ図および第１１図で図示）に移動すると、次に述べる新規の連結機構によって、キャリア１３０が高い位置と下方位置との間で移動する。特に、ドアハンドル９４上の外部カム表面２５４は、カム従動（ｃａｍ  ｆｏｌｌｏｗｅｒ）要素またはクランク２８０（第７図、第８Ｂ図、第１１図、第１９図および第２０図）と係合するよう設計される。クランク２８０は、カム従動表面２８２を画定する。第７図で示すように、カム従動表面２８２を画定するクランク２８０の部分は、窪んだラッチ領域２６０を画定するシャーシ１０４の部分で、スロット２８３中に延在する。クランク２８０は、窪んだラッチ領域２６０に隣接して、シャーシ１０４の背後に旋回可能な状態で装着される。第２９図で分かるように、シャーシ１０４は、１対の間隔をあけ後方に突出した装着ボス２８４を有し、各ボス２８４は、ピン２９０（第８Ａ図および第８Ｂ図）を受ける穴２８６を画定する。第１９図および第２０図で図示するように、クランク２８０は、第７図、第８Ａ図および第８Ｂ図に示すように、クランク２８０がシャーシのボス２８４間に配置され、旋回可能な状態でその中に装着された場合、ピン２９０を受ける穴２９２を含む。
第１９図および第２０図で示すように、クランク２８０は、スロット２９６および架橋リブ２９８を含む。第８Ａ図および第８Ｂ図で示すように、螺旋コイル引張ばね３００の一方端はクランクのブリッジ２９８と係合し、ばね３００の他方端は、シャーシ１０４の側部に装着されたピン３０２と係合する。ばね３００は、通常、ドアハンドル９４のラッチが外れた、または開いた方向（第８Ａ図）にある時に、クランクカム従動表面２８２を窪んだラッチ領域２６０内に配置するよう、第８Ａ図および第８Ｂ図で見て反時計回り方向で、クランク２８０にバイアスをかける。
第１９図および第２０図で示すように、クランク２８０は、リンクまたはアーム３１２（第７図、第８Ａ図および第１１図）の一方端を受けるようになっているスロット３０８を有するクランクの部分で、穴３０６を画定する。第２１図および第２２図で示すように、リンクまたはアーム３１２は、穴３１４を画定する幅が狭い下端を有する。アーム３１２の幅が狭い下端は、クランクスロット３０８内で受けられ、クランク穴３０６およびリンクまたはアーム３１２の穴３１４中に延在するピン３１６（第８Ａ図、第８Ｂ図、第１１図および第１２図）によって、旋回可能な状態でクランク２８０に接続されるようになっている。
リンクまたはアーム３１２は、上方向に延びて、スカート１１０の開いた後部分に入る。第２６図は、スカート１１０の底部が開き、スカートの内部が、アーム３１２の上端および（第１１図で見られるような）キャリア１３０の後部分１６０などの他の構成要素を収容するよう、ほぼ中空であることを示す。リンク３１２の上端は、第１１図で示すように、キャリア１３０の後部分１６０に接続される。特に、リンクまたはアーム３１２の上端は、接続ピン３２４（第１１図および第２５Ａ図）を受ける受け穴３２０（第２１図および第２２図）を画定する。
また、第１３図、第１４図、第１５図、第１７図および第１８図で分かるように、キャリア１３０の後部分１６０は、ピン３２４の受け穴３２２、およびアーム３１２の上端の受けスロット３２３を画定する。アーム３１２の上端は、キャリアの穴３２２（第１５図および第２５Ａ図）およびアームの穴３２０（第２５Ａ図、第２１図および第２２図）中に延在するピン３２４（第１１図および第２５Ａ図）によって、スロット３２３内に保持される。
キャリア内にクランプ６０が存在することを感知する任意選択のシステムを、ポンプに組み込むことができ、このようなシステムは、硬質フラグ３２８（第７Ａ図、第７Ｂ図、第１１図、第２３図、第２４図および第２５図）を含むことができる。キャリアスロット１５５（第１４図、第１５図および第１７図）は、第７Ａ図、第７Ｂ図、第１１図および第２５Ａ図で示すように、内部に延在するフラグ３２８の部分を受ける。フラグ３２８は、アーム３１２をキャリア１３０の後部分１６０に旋回可能な状態で接続する上述のピン３２４（第１１図）を受けるため、穴３３０（第２３図、第２４図および第２５Ａ図）を画定する。
第２３図で示すように、フラグ３２８は、第１の脚部３３２Ａおよび第２の脚部３３２Ｂを有するねじりばね３３２を受ける窪み３３１を画定する。第２１図で示すように、リンクアーム３１２の上側部分は、横方向に延在する肩３２１を画定する。肩３２１は、ねじりばねの脚３３２Ａ（第２５図）と係合する。ねじりばねの他方の脚３３２Ｂは、フラグ３２８（第２３図および第２５図）の窪み３３１の前壁と係合する。したがって、ねじりばね３３２は、ピン３２４を中心に、第７Ａ図、第７Ｂ図、第１１図および第１２図で見て時計回りの方向にフラグ３２８を旋回させるよう、ねじりばねにバイアスをかける機能を果たす。これによって、フラグ３２８の前部分は、スライドクランプ６０がキャリア１３０内に存在しない場合は常に、上方向に移動してキャリア１３０のスロット１６１の底部に入る。フラグ３２８のキャリアスロット１５５および１６１への時計回りの回転は、フラグ３２８の下前部分がキャリアのブリッジ１５３（第１１図）と係合することによって制限される。しかし、スライドクランプ６０が（第７Ａ図に示すような）キャリアに挿入されると、フラグ３２８の上前縁がクランプ６０の底部と係合し、カムで下方向に動く。これによって、フラグ３２８は第７Ａ図で見て反時計回りに旋回する。フラグ３２８をフラグ位置センサーと組み合わせて操作し、ポンプ５０を制御することを、以下で詳細に説明する。
ドア９０が開いている場合、ばね３００がクランク２８０を引っ張り、クランク２８０を第７図および第７Ａ図で見て反時計回りに旋回させることが理解される。これは、アーム３１２およびキャリア１３０を、スライドクランプ６０の挿入または取外しに対応する高い位置に保持する。これに対して、ドア９０を閉じ、ドアハンドル９４を上記で詳細に説明したようにラッチをかけて閉じると、ドアハンドルのカム表面２５４がクランク２８０のカム従動表面２８２と係合し、クランク２８２を（第８Ｂ図、第１１図および第１２図で見て）時計回りに旋回させる。これによって、キャリア１３０（およびその中に配置されたスライドクランプ６０）が下方位置（第７Ｂ図、第８Ｂ図、第１１図および第１２図）へ引っ張られる。その後、ドアハンドル９４のラッチを外し、第８Ａ図に図示する位置に向かって上方向に持ち上げると、ばね３００は再びクランク２８０およびアーム３１２がキャリア１３０（およびそれに担持されたスライドクランプ６０）を高い位置（第７図および第７Ａ図）に戻すようにする。
キャリア１３０が高い位置（第７図）に戻ると、スライドクランプ６０を外すことができる。キャリア１３０が高い位置にある場合、スライドクランプ６０は、受け路内の管５４上で、前述したように管５４がクランプ口１４２（第７Ａ図）の狭い部分１４４で圧縮され、閉じるような方向になることが理解される。したがって、ドア９０が開いてスライドクランプ６０を外せる場合は常に、管５４はスライドクランプ６０によって圧縮され、閉じる。したがって、医療従事者が管５４をポンプから外す前に、ローラクランプ５６（第１図）を閉じ損なった場合、下方クランプ１９０が開き、管５４がポンプから外されても、流体が患者へと自由に流れる危険はない。
任意選択のセンサーシステムは、センサー３３６を通るフラグ３２８の後部分の動作に対応するスロットを有する光電センサー３３６を含むことが好ましい。第７Ａ図、第７Ｂ図および第１１図で示すように、センサー３３６は従来のアセンブリ３３８を含み、これは垂直スロットを含み、スロットの一方側には発光ダイオードがあり、スロットの他方側には光を受ける整列した光電池がある。フラグ３２８の後部分は、スロットを通過することができる。
ポンプの制御システムは、ポンプへの電力が入り、アセンブリ３３８内の発光ダイオードと光電池との間の光路がクリアーである（つまりフラグ３２８によって遮断されない）場合は常に、ポンプの動作を防止するよう設計される。しかし、発光ダイオードと光電池アセンブリ３３８の路がフラグ３２８によって遮断された場合は常に、ポンプの制御システムによってポンプが作動することができる。
第７Ａ図に示すように、スライドクランプ６０を高くしたキャリア１３９に設置するが、ポンプドア９０を開いたままにすると、フラグ３２８がセンサー３３６より上になる。したがって、発光ダイオードと光電池のアセンブリ３３８がクリアーであり、遮断されていないセンサーの信号が制御システムによって処理され、ドア９０が開いているので、ポンプの動作を防止する。
（キャリア１３０が、第３図および第７Ａ図に示すように高い位置にある状態で）ドアが開いている間にスライドクランプ１６０を外すと、フラグ３２８の後部分が（第７Ａ図に示す点線の位置へと）下方向に移動するが、発光ダイオードと光電池のアセンブリ３３８を遮断するほどでないよう、ねじりばね３３２がフラグを旋回させる。したがって、遮断されないセンサー信号によって、ポンプの動作が防止される。
スライドクランプ６０がキャリア１３０に設置されていない時に、ドア９０のラッチをかけて閉じると、空のキャリア１３０が第１１図に示す下方位置へと引っ張られる。ねじりばね３３２は、（第１１図に示すように）フラグ３２８の後部分が発光ダイオードと光電池のアセンブリ３３８より下になるよう、フラグ３２８にバイアスをかける。したがって、スライドクランプ６０が設置されず、ポンプドア９０が閉じている状態で、センサー３３６の遮断されていない信号が、まだ、ポンプの動作を防止する。
しかし、スライドクランプ６０をキャリア１３０に設置し、ドア９０のラッチをかけて閉じ、キャリア１３０およびクランプ６０を下に移動させると、第７Ｂ図に示すように、フラグ３２８の後部分が上方向に移動して、発光ダイオードと光電池のアセンブリ３３８を遮断するよう、フラグ３２８がクランプ６０によって反時計回りに十分旋回する。センサーの信号がないのは、制御システムがポンプの動作を許容する許容条件である。
制御システムおよびセンサー３３６には、動作順序または他の状態を検証するため、１つの位置と別の位置との間のフラグ３３８の動作を感知するなど、他の動作モードを設けてもよい。しかし、このような他の動作モード、および上述したような基本的センサー３３６および関連の制御システムを、ポンプ５０に含む必要はない。実際、フラグ３２８自体およびフラグセンサーシステムをポンプ５０に組み込むことは、任意選択であり、必要ではない。
本発明の以上の詳細な説明およびその図から、本発明の新規の概念または原理の精神および範囲から逸脱することなく、多くの変形および改造を実行できることが、容易に理解される。
【図１】
0004003818.tif 000002
【図２】
0004003818.tif 000003
【図３】
0004003818.tif 000004
【図４】
0004003818.tif 000005
【図５】
0004003818.tif 000006
【図６】
0004003818.tif 000007
【図７】
0004003818.tif 000008
【図７Ａ】
0004003818.tif 000009
【図７Ｂ】
0004003818.tif 000010
【図８Ａ】
0004003818.tif 000011
【図８Ｂ】
0004003818.tif 000012
【図９】
0004003818.tif 000013
【図１０】
0004003818.tif 000014
【図１０Ａ】
0004003818.tif 000015
【図１０Ｂ】
0004003818.tif 000016
【図１０Ｃ】
0004003818.tif 000017
【図１１】
0004003818.tif 000018
【図１２】
0004003818.tif 000019
【図１３】
0004003818.tif 000020
【図１４】
0004003818.tif 000021
【図１５】
0004003818.tif 000022
【図１６】
0004003818.tif 000023
【図１７】
0004003818.tif 000024
【図１８】
0004003818.tif 000025
【図１９】
0004003818.tif 000026
【図２０】
0004003818.tif 000027
【図２１】
0004003818.tif 000028
【図２２】
0004003818.tif 000029
【図２３】
0004003818.tif 000030
【図２４】
0004003818.tif 000031
【図２５】
0004003818.tif 000032
【図２５Ａ】
0004003818.tif 000033
【図２６】
0004003818.tif 000034
【図２７】
0004003818.tif 000035
【図２８】
0004003818.tif 000036
【図２８Ａ】
0004003818.tif 000037
【図２９】
0004003818.tif 000038
【図３０】
0004003818.tif 000039
【図３１】
0004003818.tif 000040
【図３２】
0004003818.tif 000041